(57)【要約】【課題】  空気抵抗を軽減することができる（圧損率を低減することができる）とともに、経時的に変形することなく、且つ、より多くのオイルミストを捕捉することができる新規なオイルミストフィルタ又はオイルミストセパレータを提供する。【解決手段】  オイルミストが含まれたガスから該オイルミストを捕捉するとともに円筒状に成形されたオイルミストフィルタ４であって、ガラス繊維が主な素材とされた第１のフィルタ部２１と、不織布からなる第２のフィルタ部２２とを備えてなるとともに、上記第１のフィルタ部２１と第２のフィルタ部２２とが交互に積層されてなる。【選択図】        図２
2005279629.tif 000002
【特許請求の範囲】
【請求項１】
オイルミストが含まれたガスから該オイルミストを捕捉するとともに円筒状に成形されたオイルミストフィルタであって、
ガラス繊維が主な素材とされた第１のフィルタ部と、不織布からなる第２のフィルタ部とを備えてなるとともに、上記第１のフィルタ部と第２のフィルタ部とが交互に積層されてなることを特徴とするオイルミストフィルタ。
【請求項２】
前記第１のフィルタ部と第２のフィルタ部との厚みは、２：１〜１０：１とされてなることを特徴とする請求項１記載のオイルミストフィルタ。
【請求項３】
前記第１のフィルタ部と第１のフィルタ部との間に配置された第２のフィルタ部は、複数枚の不織布が積層されてなることを特徴とする請求項１又は２記載のオイルミストフィルタ。
【請求項４】
前記請求項１，２又は３記載のオイルミストフィルタからなるフィルタ本体と、このフィルタ本体の中央に挿通され多数の開口が形成された筒状部と、この筒状部の一端に形成された円板部と、上記筒状部の他端と固定され上記フィルタ本体を挟んで上記円板部と対向する円板体と、円筒状に成形され内部に上記フィルタ本体が収容され一端は上記円板部に接合され他端は上記円板体に接合されてなる補助フィルタとを備えてなることを特徴とするオイルミストフィルタ。
【請求項５】
前記補助フィルタは、リング状に成形され前記円板部に接合された一方の枠部と、リング状に成形され前記円板体に接合された他方の枠部と、上記一方の枠部と他方の枠部とを接続する複数の支柱部と、一端は上記一方の枠部に固定され他端は上記他方の枠部に固定されてなる円筒状のフィルタ部とを備えてなることを特徴とする請求項4記載のオイルミストフィルタ。
【請求項６】
一端に開口が形成されてなるケース本体と、このケース本体に形成され該ケース本体内にオイルミストが含まれたガスが流入するガス流入ポートと、上記ケース本体に形成された開口を閉塞する蓋体と、この蓋体に形成され上記ケース本体内から上記オイルミストが除去されたガスが流出するガス流出ポートと、上記ガス流入ポートから流入したオイルミストが含まれたガスから該オイルミストを捕捉する前記請求項１，２，３，４又は５記載のオイルミストフィルタと、上記蓋体に形成され上記オイルミストフィルタから流出したオイルを上記ケース本体内から排出するオイル排出ポートと、を備えてなることを特徴とするオイルミストセパレータ。
【発明の詳細な説明】
【技術分野】
【０００１】
本発明は、例えば、ガソリンエンジンやディーゼルエンジン等の内燃機関に形成された燃焼室からクランク室に漏れ出たオイルミストが含まれたガスから該オイルミストを捕捉する際に使用されるオイルミストフィルタ及びオイルミストセパレータに関するものである。
【背景技術】
【０００２】
ガソリンエンジンやディーゼルエンジン等の内燃機関に形成された燃焼室からクランク室には、ブローバイガスと称される未燃焼ガスが流入する。このブローバイガスは、オイルミストを含んだガスであり、大気に解放する事は禁止されていることから、再度吸気側へ導き再燃焼させなければならない。そこで、従来では、こうした規制に対応させるとともにエネルギー効率の改善を目的に、上記ブローバイガスが再度燃焼室にて燃焼されるように還流通路を形成し、この還流通路の途中に上記ブローバイガスに含まれているオイルミストを捕捉するオイルミストセパレータが配置されている。このオイルミストセパレータは、上記クランク室と連通してなるとともにブローバイガスが流入する流入ポートと、この流入ポートから流入した上記ブローバイガスに含まれたオイルミストを捕捉するオイルミストフィルタと、このオイルミストフィルタによりオイルミストが捕捉された後のガスを外部に流出させるとともに上記燃焼室に連通してなる流出ポートとを備えている。そして、上記オイルミストフィルタは、細かなガラス繊維からなるものであって、このガラス繊維が上記流入ポートに連通し多数の開口が形成された筒状部材に巻回されている。すなわち、このオイルミストセパレータでは、上記流入ポートから流入したブローバイガスは、上記筒状部材に形成された多数の開口を通過するとともに、上記オイルミストフィルタを通過して上記流出ポートから流出するように構成され、該ブローバイガスがオイルミストフィルタを通過する際に該ブローバイガスに含まれたオイルミストが捕捉され、このオイルミストが捕捉された後のガスが上記流出ポートを介して燃焼室に供給されるように構成されている。
【発明の開示】
【発明が解決しようとする課題】
【０００３】
しかしながら、上述したオイルミストフィルタ又はオイルミストセパレータでは、上記ブローバイガスに含まれたオイルミストを捕捉するのは、ガラス繊維を素材としてなるものであることから、通気性が良好ではなく（圧損率が高く）、所定のブローバイガスの流量を確保することができない。特に、従来のオイルミストフィルタ又はオイルミストセパレータでは、ブローバイガスが流入する側である内側からオイルミストが徐々に捕捉されると、外側に変形し上記筒状部材との間に空間が形成されるばかりではなく、オイルミスト又は粒子状物質等により徐々に目詰まりし、一層通気性が悪くなるとともに期待されるオイルの捕捉量を確保することができない。
【０００４】
そこで、本発明は、上述した従来のオイルミストフィルタ又はオイルミストセパレータが有する課題を解決するために提案されたものであって、空気抵抗を軽減することができる（圧損率を低減することができる）とともに、経時的に変形することなく、且つ、より多くのオイルミストを捕捉することができる新規なオイルミストフィルタ又はオイルミストセパレータを提供することを目的とするものである。
【課題を解決するための手段】
【０００５】
上述した目的を達成するため、本発明（請求項１記載の発明）は、オイルミストフィルタに係るものであって、オイルミストが含まれたガスから該オイルミストを捕捉するとともに円筒状に成形されたオイルミストフィルタであって、ガラス繊維が主な素材とされた第１のフィルタ部と、不織布からなる第２のフィルタ部とを備えてなるとともに、上記第１のフィルタ部と第２のフィルタ部とが交互に積層されてなることを特徴とするものである。
【０００６】
この第１の発明では、ガラス繊維を主な素材とされた第１のフィルタ部と不織布からなる第２のフィルタ部とが交互に積層されていれば良く、該第１のフィルタ部及び第２のフィルタ部の厚みは特に限定されるものではない。また、第２のフィルタ部である不織布の繊維素材も特に限定されるものでななく、これまで用いられているアクリル繊維，ポリエステル繊維，レーヨン繊維，無機繊維，炭素繊維，ポリアミド繊維等を単独で又は複合的に使用することができる。また、繊維長に関しても短繊維と長繊維の両方を使用することができる。なお、上記第２のフィルタ部は、薄手の不織布が複数枚が相互に接着される等して一体化されているものであっても良い（請求項３記載の発明）。
【０００７】
また、第２の発明（請求項１記載の発明）は、上記第１の発明において、前記第１のフィルタ部と第２のフィルタ部との厚みは、２：１〜１０：１とされてなることを特徴とするものである。
【０００８】
この第２の発明で限定された第１のフィルタ部と第２のフィルタ部との厚みの比率は、上記第１のフィルタ部の厚みが第２のフィルタ部の厚みに対して余り厚い場合には、オイルを保持できる量（保油量）は高くなる一方、通気性は低くなるとともに第１のフィルタ部の変形を抑制することができない。逆に、上記第１のフィルタ部の厚みが第２のフィルタ部の厚みに対して余り薄い場合には、オイルを保持できる量（保油量）は低くなり短期間内に交換しなければならない一方、通気性は向上し圧損率は低くなるとともに第１のフィルタ部の変形も効果的に抑制することができる。そこで、こうした各要素を総合的に勘案すると、第１のフィルタ部と第２のフィルタ部との厚みの比率は、２：１〜１０：１とされてなることが望ましく、さらに、４：１〜８：１とされていることがより好ましい。
【０００９】
また、第４の発明（請求項４記載の発明）は、前記第１及び第２の発明請並びに第３の発明（請求項３記載の発明）に係るオイルミストフィルタからなるフィルタ本体と、このフィルタ本体の中央に挿通され多数の開口が形成された筒状部と、この筒状部の一端に形成された円板部と、上記筒状部の他端と固定され上記フィルタ本体を挟んで上記円板部と対向する円板体と、円筒状に成形され内部に上記フィルタ本体が収容され一端は上記円板部に接合され他端は上記円板体に接合されてなる補助フィルタとを備えてなることを特徴とするものである。
【００１０】
また、第５の発明（請求項５記載の発明）は、上記第４の発明において、前記補助フィルタは、リング状に成形され前記円板部に接合された一方の枠部と、リング状に成形され前記円板体に接合された他方の枠部と、上記一方の枠部と他方の枠部とを接続する複数の支柱部と、一端は上記一方の枠部に固定され他端は上記他方の枠部に固定されてなる円筒状のフィルタ部とを備えてなることを特徴とするものである。
【００１１】
また、第６の発明（請求項６記載の発明）は、一端に開口が形成されてなるケース本体と、このケース本体に形成され該ケース本体内にオイルミストが含まれたガスが流入するガス流入ポートと、上記ケース本体に形成された開口を閉塞する蓋体と、この蓋体に形成され上記ケース本体内から上記オイルミストが除去されたガスが流出するガス流出ポートと、上記ガス流入ポートから流入したオイルミストが含まれたガスから該オイルミストを捕捉する前記請求項１，２，３，４又は５記載のオイルミストフィルタと、上記蓋体に形成され上記オイルミストフィルタから流出したオイルを上記ケース本体内から排出するオイル排出ポートと、を備えてなることを特徴とするものである。
【発明の効果】
【００１２】
上記第１の発明（請求項１記載の発明）では、ガラス繊維が主な素材とされた第１のフィルタ部と不織布からなる第２のフィルタ部とを備えてなるとともに、上記第１のフィルタ部と第２のフィルタ部とが交互に積層されてなることから、該不織布により空気抵抗が軽減され圧損率を効果的に低くすることができるとともに、第１のフィルタ部の変形を抑制することができる。特に、この発明によれば、第１のフィルタ部の内側にオイルが捕捉され目詰まりが生じた場合であっても、該第１のフィルタ部と第１のフィルタ部との間に配置された第２のフィルタ部により捕捉されたオイルは該第２のフィルタ部を通過して内部にまで浸透させることができることから、全体として多量のオイルを捕捉することができ、従来のオイルミストフィルタよりも長期間使用することができる。このことは、第４の発明（請求項４記載の発明）であっても同様であり、ケース本体内に配置されたオイルミストフィルタを長期間に亘って使用することができ、短期間内に交換を余儀なくされることを有効に防止することができる。
【００１３】
また、第２の発明（請求項２記載の発明）では、第１のフィルタ部と第２のフィルタ部との厚みは、２：１〜１０：１とされてなることから、上記効果をより一層高めることができる。
【００１４】
また、第３の発明（請求項３記載の発明）では、第１のフィルタ部と第１のフィルタ部との間に配置された第２のフィルタ部は、複数枚の不織布が積層されてなることから、厚手の不織布を製造することなく、薄手の不織布を多数製造し、収納されるオイルミストセパレータに要求される能力や容積，ガスの供給量等の各種の条件に応じて適宜該不織布を積層すれば良いので、製造コストを下げることができるとともに、実装した後に生じた不具合を簡単に解消すること一方が可能となる。
【００１５】
また、第４の発明（請求項４記載の発明）では、フィルタ本体は、補助フィルタの内側に収容されていることから、第１のフィルタ部の素材であるガラス繊維がこの補助フィルタにより捕捉される。したがって、ガラス繊維が、ブローバイガスとともに燃焼室内に流入する危険性を有効に防止することができる。
【００１６】
また、第５の発明（請求項５記載の発明）では、補助フィルタは、一方及び他方の枠部と、円筒状のフィルタ部とを備えてなることから、機械的強度を確保することができるばかりではなく、フィルタ本体に対する組付け作業も容易となる。
【００１７】
また、第６の発明（請求項６記載の発明）によれば、オイルミストフィルタから流出したオイルは、上記ケース本体内からオイル排出ポートを介して外部に排出されることから、このオイル排出ポートからのオイルの排出によりオイルミストフィルタの交換時期を確認することが可能となる。
【発明を実施するための最良の形態】
【００１８】
以下、本発明を実施するための最良の形態を、図面を参照しながら詳細に説明する。先ず、オイルミストセパレータに付いて説明しながら、該オイルミストセパレータを構成するオイルミストフィルタに付いて説明する。
【００１９】
この実施の形態に係るオイルミストセパレータ１は、図１に示すように、ケース本体２と、蓋体３と、上記ケース本体２内に収容されるオイルミストフィルタ４とから構成されている。上記ケース本体２は、一端側（図１中左側）に開口２ａが形成されてなるものであり、図３に示すように、外側ケース部５と内側ケース部６とからなる二重構造となされ、上記外側ケース部５の内側と内側ケース部６の外側との間には、図示しない温水が収容される温水収容空間７が形成されている。そして、上記外側ケース部５の側面には、このオイルミストセパレータ１を、図３に示す方向性を有する状態で固定する固定金具８が溶接されている。また、図１に示すように、上記ケース本体２の右側には、図示しないブローバイガスが流入するガス流入ポートとしての流入管部１０が固定されている。この流入管部１０は、図示しない内燃機関に形成されたクランク室に接続されたチューブ等に接続される部位であり、上記内側ケース部６内と連通している。
【００２０】
また、上記外側ケース部５には、上記温水収容空間７に連通するとともに、該温水収容空間７内に温水を供給する温水供給管１１と、上記温水収容空間７内の温水を外部に排出する温水排出管１２とが固定されている。なお、上記温水供給管１１と温水排出管１２との間には、温水を加熱する図示しない加熱手段が設けられている。したがって、この実施の形態に係るオイルミストセパレータ１では、上記温水供給管１１から供給された温水が上記温水収容空間７内に供給され、この温水収容空間７内に供給された温水が上記温水排出管１２から排出され上記加熱手段により加熱された後にさらに上記温水収容空間７内に供給されるように温水が循環するように構成され、この温水により上記ケース本体２内が加温されるように構成されている。また、上記ケース本体２の左側（上記開口２ａが形成された側）には、フランジ部２ｂが形成され、このフランジ部２ｂには、後述する蓋体３を固定するネジ１５が螺着されるネジ孔２ｃが形成されている。
【００２１】
また、上記蓋体３は、合成樹脂により一体成形されてなるものであり、上記ケース本体２に形成された開口２ａを閉塞する蓋部１６と、この蓋部１６の内側面の中心に形成された位置決め凸部１７とを備えている。この位置決め凸部１７は、後述するフィルタ本体２３の中心に形成された開口内に一端側から挿入されるものであるとともに、円筒状に成形されてなり、閉塞部１７ａにより閉塞されている。そして、上記蓋部１６の外周側中途部には、上記ネジ１５が挿通される貫通孔１８が形成されている。また、この蓋体３には、上記ケース本体２内に収容された後述するオイルミストフィルタ４によりオイルミストが捕捉された後のガスが該ケース本体２内から流出するガス流出ポートとしての流出管部１９が、上記蓋部１６の外側面から突出している。また、この蓋体３には、上記オイルミストフィルタ４に捕捉されたオイルミストが飽和状態となり該オイルミストフィルタ４から流出したオイルを外部に排出するオイル排出ポートとしてのオイル排出管部２０が形成されている。なお、上記流出管部１９は、図示しない内燃機関に形成された燃焼室と接続する図示しないチューブが接続される部位である。
【００２２】
また、上記オイルミストフィルタ４は、図１に示すように、全体形状は略筒状に成形されてなるものであり、図２に示すように、複数の第１のフィルタ部２１と、複数の第２のフィルタ部２２とが交互に積層されてなるフィルタ本体２３を備えている。これら第１及び第２のフィルタ部２１，２２は、何れもリング状に成形されてなるものであり、それぞれ中心には同一の内径となされた円形状の開口２１ａ，２２ａが形成され、また、それぞれの外径も同一のものとされている。そして、上記第１のフィルタ部２１は、ガラス繊維からなるものであり、上記第２のフィルタ部２２は、ポリエステル樹脂繊維を素材とした不織布からなるものである。なお、本実施の形態では、同一形状に成形された一方及び他方の不織布フィルタ２２ｂ，２２ｃが互いに積層されてなるものである。すなわち、このオイルミストフィルタ４は、上記第１のフィルタ部２１と第２のフィルタ部２２とが交互に積層され、全体形状が略筒状とされ上記フィルタ本体２３を構成している。なお、上記第１のフィルタ部２１の厚みと第２のフィルタ部２２の厚みと比は、１：４とされている。また、このオイルミストフィルタ４は、上記フィルタ本体２３に形成された開口（符号は省略する。）内に挿入される円筒部材２５と、一方及び他方の挟持部材２６，２７とを備えている。上記円筒部材２５は、図２に示すように、多数の開口２５ａが穿設されている。この円筒部材２５は、後述するように、上記ケース本体２内に流入したブローバイガスが流入するものであり、上記開口２５ａは、この円筒部材２５内に流入したブローバイガスが上記フィルタ本体２３方向に流通する部位である。なお、図３に示すように、上記円筒部材２５の長さは、上記フィルタ本体２３の長さよりも短いものとなされている。また、上記一方及び他方の挟持部材２６，２７は、上記フィルタ本体２３を互いに両端側から挟持してなるものであり、該フィルタ本体２３の一端の面積と略同じ面積を有する挟持板部（符号は省略する。）と、中心に形成された円形状の開口２６ａ，２７ａと、上記挟持板部の外周に形成され上記フィルタ本体２３の一端側又は他端側が挿入されるリング状の枠部２６ｂ，２７ｂとを備えている。また、上記一方の挟持部材２６の外側面には、上記開口２６ａを囲むように一方のシール部材２８が固定され、同様に、上記他方の挟持部材２７の外側面にも、上記開口２７ａを囲むように、他方のシール部材２９（図３参照）が固定されている。なお、これら一方及び他方のシール部材２８，２９は、いずれもゴムが素材とされている。
【００２３】
以下、上述した構成に係るオイルミストセパレータ１によりブローバイガスに含まれたオイルミストが捕捉される動作について説明する。先ず、上記流入管部１０からブローバイガスが上記内側ケース部６内に流入すると、次いで、このブローバイガスは、上記円筒部材２５に多数形成された開口２５ａを介して上記フィルタ本体２３内を通過し、該フィルタ本体２３の外周面と上記内側ケース部６の内周面とにより形成された空間に排出される。このとき、このブローバイガスに含まれたオイルミストは、上記フィルタ本体２３を構成する第１及び第２のフィルタ部２１，２２に捕捉されるが、この実施の形態に係るオイルミストセパレータ１では、上記ガラス繊維からなる第１のフィルタ部２１のみから構成されておらず、該第１のフィルタ部２１と不織布からなる第２のフィルタ部２２とが交互に積層されてなることから、該第２のフィルタ部２２からより多くのブローバイガスが流通し、全体として空気抵抗が低減され圧損率が有効に低減される。また、このオイルミストセパレータ１では、第１のフィルタ部２１と第２のフィルタ部２２とが交互に積層されていることから、該第１のフィルタ部２１の内周がブローバイガスの圧力により外側に窪むように変形されない。しかも、捕捉されたオイルは、上記第２のフィルタ部２２を介して第１のフィルタ部２１の外側方向に徐々に流入することから、該第２のフィルタ部２１の内周側で捕捉されたオイルや粒子状物質等により目詰まりした場合であって、フィルタ本体２３全体としてより多くのオイルが捕捉され、より長期間に亘って使用することができる（頻繁に交換する必要性がない。）。特に、このオイルミストセパレータ１では、上記フィルタ本体２３を構成する第２のフィルタ部２２は、一方及び他方の不織布フィルタ２２ｂ，２２ｃが互いに積層されてなるものであるとともに、第１のフィルタ部２１の厚みと第２のフィルタ部２２の厚みとの比が１：４とされていることから、より一層第１のフィルタ２１の変形を防止することができるとともに、多くのオイルを捕捉することが可能となる。
【００２４】
そして、上記オイルミストセパレータ１を構成するフィルタ本体２３によりオイルミストが捕捉された後のガスは、上記流出管部１９を介してこのオイルミストセパレータ１９の外部に流出し、図示しないチューブを介して内燃機関に形成された燃焼室に供給される。また、上記フィルタ本体２３により、多量のオイルが捕捉され飽和状態となった場合には、上記ブローバイガスの圧力により、上記内側ケース部６内の下側に落下し、上記オイル排出管部２０から外部に排出される。
【００２５】
このように、上述した実施の形態に係るオイルミストセパレータ１によれば、空気抵抗を軽減することができる（圧損率を低減することができる）とともに、経時的に変形することなく、且つ、より多くのオイルミストを捕捉することができる。
【００２６】
なお、上記実施の形態に係るオイルミストセパレータ１乃至はオイルミストフィルタ４（フィルタ本体２３）では、内側に流入したブローバイガスを外側に流出させる過程で該ブローバイガスに含まれたオイルミストを捕捉するタイプのものに本発明を適用したものであるが、本発明に係るオイルミストセパレータ又はオイルミストフィルタは、ブローバイガス等のオイルミストを含んだガスが、該オイルミストフィルタの外側から内側に流通する過程で該オイルミストが捕捉されるタイプのものに適用しても良い。
【００２７】
また、本発明を構成するオイルミストフィルタは、上述したものばかりではなく、フィルタ本体２３が、後述する補助フィルタ３４の内側に収容されているものであっても良い。すなわち、このオイルミストフィルタ３０は、図４に示すように、フィルタ本体２３と、このフィルタ本体２３の中央に挿通された筒状部３１と、この筒状部３１の一端に形成された円板部３２と、上記筒状部３１の他端と固定され上記フィルタ本体２３を挟んで上記円板部３２と対向する円板体３３と、円筒状に成形され内部に上記フィルタ本体２３が収容され一端は上記円板部３２に接合され他端は上記円板体３３に接合されてなる補助フィルタ３４とを備えている。
【００２８】
上記筒状部３１と円板部３２とは合成樹脂により一体成形されてなるものであり、該円板部３２の外側面には図示しない補強用リブが形成されてなるとともに、中心にはオイルミストを含んだブローバイガスが流入する開口３２ａが形成されている。また、この円板部３２の内側面には、上記開口３２ａと略同じ内径を有してなり、上記フィルタ本体２３に挿通される上記筒状部３１が形成されている。また、図５に示すように、上記円板部３２の内側面には、該円板部３２の外径よりもやや径の小さな外径を有する一方の円板状凸部３２ｂが形成されている。また、上記筒状部３１は、それぞれ平行に形成された複数の枠部３１ａと、複数（５つ）の支柱部３１ｂとから構成されてなり、ブローバイガスがフィルタ本体２３方向に流通する多数の開口３１ｃが形成されている。
【００２９】
そして、この筒状部３１を構成する上記支柱部３１ｂの先端には、嵌合凸部３１ｄが形成されている。また、上記円板体３３は、図４に示すように、中央に開口３３ａが形成され、また、上記円板部３２と同じ外径に成形され、内側面には、上記一方の円板状凸部３２ｂと同じ形状となされた他方の円板状凸部３３ｂが形成されている。また、この円板板３３の内側には、段差部３３ｃが形成され、この段差部３３ｃには、上記筒状部３１に形成された嵌合凸部３１ｄが嵌合する嵌合凹部３３ｄが形成されている。
【００３０】
また、上記補助フィルタ３４は、図４に示すように、それぞれリング状に成形された一方の枠部３４ａ及び他方の枠部３４ｂと、それぞれ一端は、上記一方の枠部３４ａと連続してなり他端は上記他方の枠部３４ｂに連続してなる第１ないし第４の支柱部３４ｃ・・・３４ｆと、不織布からなるフィルタ部３４ｇとから構成されている。上記一方の枠部３４ａには、上記円板部３２に形成された一方の円板状凸部３２ｂが嵌合する一方のリング状嵌合部３４ｈが形成され、他方の枠部３４ｂには、上記円板板３３に形成された他方の円板状凸部３３ｂが嵌合する他方のリング状嵌合部３４ｉが形成されている。また、上記第１ないし第４の支柱部３４ｃ・・・３４ｆは、図６に示すように、上記一方の枠部３４ａの内周面よりも中心側に突出している。なお、上記第３の支柱部３４ｅは、第１、第２及び第４の支柱部３４ｃ，３４ｄ，３４ｆよりもやや幅広に成形されている。そして、上記フィルタ部３４ｇは、長方形状に切断された不織布の一側と他側とが近接し略円筒状に成形されてなるものであり、一端側は上記一方の枠部３４ａ内に含芯され、他端は上記他方の枠部３４ｂ内に含芯されている。なお、上記近接した一端と他端とは、図６に示すように、上記第３の支柱部３４ｅの内部に位置している。
【００３１】
したがって、上述したオイルミストフィルタ３０では、フィルタ本体２３は、補助フィルタ３４を構成するフィルタ部３４ｇの内側に収容されていることから、フィルタ本体２３を構成する第１のフィルタ部２１の素材であるガラス繊維がこの補助フィルタ３４により捕捉される。したがって、ガラス繊維が、ブローバイガスとともに燃焼室内に流入する危険性を有効に防止することができる。特に、上記補助フィルタ３４は、一方及び他方の枠部３４ａ，３４ｂと、円筒状のフィルタ部３４ｇとを備えてなることから、機械的強度を確保することができるばかりではなく、フィルタ本体２３に対する組付け作業も容易となる。
【図面の簡単な説明】
【００３２】
【図１】本発明の一実施の形態に係るオイルミストセパレータを示す分解斜視図である。
【図２】本発明の一実施の形態に係るオイルミストフィルタを示す分解斜視図である。
【図３】本発明の一実施の形態に係るオイルミストセパレータを示す断面図である。
【図４】本発明の他の実施の形態に係るオイルミストフィルタを示す分解斜視図である。
【図５】本発明の他の実施の形態に係るオイルミストフィルタを示す分解側面図である。
【図６】補助フィルタを示す平面図である。
【符号の説明】
【００３３】
１    オイルミストセパレータ
２    ケース本体
２ａ    開口
３    蓋体
４    オイルミストフィルタ
１０    流入管部
１９    流出管部
２０    オイル排出管部
２１    第１のフィルタ部
２２    第２のフィルタ部
２３    フィルタ本体
３０    オイルミストフィルタ
３１    筒状部
３２    円板部
３３    円板体
３４    補助フィルタ
３４ａ    一方の枠部
３４ｂ    他方の枠部
３４ｃ・・・３４ｆ    第１ないし第４の支柱部
３４ｇ    フィルタ部
【図１】
2005279629.tif 000003
【図２】
2005279629.tif 000004
【図３】
2005279629.tif 000005
【図４】
2005279629.tif 000006
【図５】
2005279629.tif 000007
【図６】
2005279629.tif 000008